(57)【特許請求の範囲】
【請求項１】
地中に埋設される幹線ケーブルを中継するため、所要の間隔を存して配設されているハンドホール間に、合成樹脂製の立て管とます主体とからなり、着脱自在の蓋体が装着される分岐ますを、任意間隔で設置し、
前記分岐ます内の立て管とます主体の間に設けられたリング状の保持部材に、複数の分配器を並列的に保持することのできる分配器設置台を取出し自在に設け、
前記分配器を介して、幹線ケーブルを分岐ます内に配線し、
目的とする建造物に分岐配線する際には、前記分岐ますから分配器を取出したのち、
当該分配器から、必要とする幹線ケーブルのみを分配し分岐配線すること
を特徴とする地中ケーブルの分岐方法。
【請求項２】
対向する側壁に、それぞれ幹線ケーブルを収容した保護管の端部を受け入れる受け口を設けた合成樹脂製のます主体と、
前記ます主体の上部開口部に取付けられる合成樹脂製の立て管と、
前記立て管の上部開口部に着脱自在に装着される蓋体
から構成され、
前記ます主体の上部開口部と立て管の間に、幹線ケーブルを接続した分配器を、立て管の上部開口部から取出すことができるように、複数の分配器を並列的に保持することのできる分配器設置台を介して、保持するリング状の保持部材を設けたこと
を特徴とする地中ケーブルの分岐ます。
【請求項３】
前記ます主体は、
対向する側壁にそれぞれ設けた保護管の受け口に、所要長さのスリーブが取付けられ、
各スリーブに、保護管の端部を所要の範囲で進退可能に接続し得ること
を特徴とする請求項２に記載の地中ケーブルの分岐ます。
【発明の詳細な説明】
【０００１】
【発明の属する技術分野】
この発明は、地中に埋設された電力ケーブルやＣＡＴＶ用ケーブルや有線放送用ケーブルなどの幹線ケーブルから、必要に応じてケーブルを分岐させ、店舗や住居などに電線や電話線などを効率的に配線する地中ケーブルの分岐方法と、該分岐方法に用いられるケーブルの分岐ますに関するもので、電力・通信配線技術に属するものである。
【０００２】
【従来の技術】
道路の景観を高め、円滑な道路交通を確保するために、電力線や通信線などのケーブルは地中に埋設することが主体となってきている。
これら地中に埋設された幹線ケーブルから、一般の需要家である店舗や住居への電力や通信などを供給するには、幹線ケーブルの収められた地下溝に沿って４０〜５０ｍの間隔で配設されているハンドホールを利用し、配線しようとする店舗や住居に最も近いハンドホールで幹線ケーブルを分岐し、分岐させたケーブルを店舗や住居まで配線するという方法が一般的に行なわれている。
【０００３】
このハンドホールは、その直径や一辺が１０００ｍｍ以上、通常１２００〜１６００ｍｍという大きなものである。
そのため、地下溝に沿って多数設けるということは、スペースの面からも経費の面からも制限を受けるので、前記のように４０〜５０ｍ間隔で設けられている。
したがって、電力や通信を必要とする需要家の店舗や住居が、マンホ−ルやハンドホールの近くにあれば、電力ケーブルや通信ケーブルなどからケーブルを分岐させて、電力や通信を送ることは比較的容易である。
【０００４】
【発明が解決しようとする課題】
しかしながら、ハンドホールから離れている店舗や住居に電力や通信を送るために幹線ケーブルから分岐ケーブルを引き込むには、かなりの距離にわたって地面を掘り起こさなければならず、分岐ケーブルの施工にかなりの工期と経費を必要とする。
また、ハンドホール内において分岐作業がなされるのが一般的であるため、前記のような大型のハンドホールを短い間隔で設置することは、事実上できないのが現実である。
【０００５】
この発明はかかる現状に鑑み、地中に埋設された電力及び通信用の幹線ケーブルから分岐ケーブルを、需要家である店舗や住居に引き込むに際し、引き込み工事の工期を短縮するとともに、施工も容易な地中ケーブルの分岐方法と、該分岐方法に使用する分岐ますを提供せんとするものである。
【０００６】
【課題を解決するための手段】
前記の目的を達成するため、この発明の請求項１に記載の発明は、
地中に埋設される幹線ケーブルを中継するため、所要の間隔を存して配設されているハンドホール間に、合成樹脂製の立て管とます主体とからなり、着脱自在の蓋体が装着される分岐ますを、任意間隔で設置し、
前記分岐ます内の立て管とます主体の間に設けられたリング状の保持部材に、複数の分配器を並列的に保持することのできる分配器設置台を取出し自在に設け、
前記分配器を介して、幹線ケーブルを分岐ます内に配線し、
目的とする建造物に分岐配線する際には、前記分岐ますから分配器を取出したのち、
当該分配器から、必要とする幹線ケーブルのみを分配し分岐配線すること
を特徴とする地中ケーブルの分岐方法である。
【０００７】
また、この発明の請求項２に記載の発明は、
対向する側壁に、それぞれ幹線ケーブルを収容した保護管の端部を受け入れる受け口を設けた合成樹脂製のます主体と、
前記ます主体の上部開口部に取付けられる合成樹脂製の立て管と、
前記立て管の上部開口部に着脱自在に装着される蓋体
から構成され、
前記ます主体の上部開口部と立て管の間に、幹線ケーブルを接続した分配器を、立て管の上部開口部から取出すことができるように、複数の分配器を並列的に保持することのできる分配器設置台を介して、保持するリング状の保持部材を設けたこと
を特徴とする地中ケーブルの分岐ますである。
【０００８】
また、この発明の請求項３に記載の発明は、
請求項２に記載の地中ケーブルの分岐ますにおいて、
前記ます主体は、
対向する側壁にそれぞれ設けた保護管の受け口に、所要長さのスリーブが取付けられ、
各スリーブに、保護管の端部を所要の範囲で進退可能に接続し得ること
を特徴とするものである。
【０００９】
【発明の実施の形態】
以下、この発明に係る地中ケーブルの分岐ますの好ましい実施の形態を、添付の図面に基づいて説明するとともに、該地中ケーブルの分岐ますを用いた地中ケーブルの分岐方法を説明する。
【００１０】
図１において、地中ケーブルを家庭や工場などの建造物に引き込むための分岐ます１を構成する分岐ます本体（図面上は分岐ます１と同一）は、ポリ塩化ビニルなどの合成樹脂で形成される分岐ます主体２と、該分岐ます主体２に立設される立て管３と、該立て管３の上部開口部に着脱自在に装着される蓋体４とから構成されるものである。
【００１１】
前記ます主体２は、底部２ａが閉塞された筒状体からなるもので、対向する壁面にそれぞれ幹線ケーブルを保護する保護管の端部を受け入れる受け口２ｂ，２ｂを一体的に形成すると共に、後述する分岐した分岐ケーブルを建造物内に引き込むための引き込み管接続部２ｃが受け口２ｂ，２ｂ間のいずれか一方側の壁面に形成されている。
【００１２】
前記各受け口２ｂには、それぞれ幹線ケーブルを保護する保護管９，９の端部が接続されるものである。
その際、各受け口２ｂに合成樹脂製の所要長さのスリーブ１０，１０を連結し、各スリーブ１０に前記保護管９，９の端部を、進退可能に接続することによって、地震などで地殻が変動して保護管９が多少伸び縮みしても吸収することができる。
【００１３】
前記の分岐ます主体２の上部開口部には、シール用のリング部材Ｒを介在させて円筒状の立て管３の基端部が内接保持されるとともに、この立て管３と分岐ます主体２との間には、リング状の保持部材５が設けられている。
【００１４】
前記立て管３の上部開口部には、蓋受け部材６が外接保持され、この蓋受け部材６に蓋体４が着脱自在に装着され、必要に応じて蓋体４を開き、分岐ケーブルと引き込みケーブルとを接続することができるものである。
なお、前記立て管３は、所要の範囲内において高さ調整できることが好ましい。
【００１５】
また、前記保持部材５には、幹線ケーブルから分岐された分岐ケーブルの一端を接続した分配器７を、並列的に保持するための分配器設置台８が固定されている。
【００１６】
この分配器設置台８は、図１で明らかなように板状体の上縁部に櫛歯状に複数の切り込みを形成し、該切り込みにそれぞれ分配器７を保持させるものである。
かかる構成を採用することによって、建造物内に分岐ケーブルを引き込む際、分配器７を分岐ます主体２から容易に取出すことができる。
【００１７】
なお、この分配器設置台８の構造は、分配器７を整列状態で保持でき、必要に応じて分岐ます本体１から取出すことができるものであれば特段の制限はなく、この分配器設置台８に前記分配器７を保持させた状態で、分配器設置台８自体を分岐ます本体１から取出してもよい。
【００１８】
かかる構造を有する分岐ます１は、図３で示すように電力ケーブルなどの幹線ケーブルを中継するハンドホール１１間（他方のハンドホールは図示を省略）に、任意の間隔、すなわち、将来的に引き込みが必要と予想される地点毎に設置するものである。
【００１９】
なお、前記ハンドホール１１は、図４に示すように、上部が開口したボックス本体１１ａと、前記開口部に装着される蓋体１１ｂとからなるもので、既述したように内部に作業員が入れる程度の大きさを有するものである。
また、幹線ケーブルを被覆する保護管９と同一の軸線上に位置する壁面には、例えば、電力ケーブルを挿通するための差込み孔１１ｃと、電話等の通信ケーブルを挿通するための差込み孔１１ｄと、ＣＡＴＶなどの通信ケーブルの複数を収束した保護管を挿通するための差込み孔１１ｅが形成されたものである。
【００２０】
任意の地点に設置された分岐ます１は、幹線ケーブルからケーブルを分岐して建造物Aに引き込み、その一端を内部に設けた分配器７に接続するものである。
前記幹線ケーブルから分岐するケーブルは、電力及び／又は通信のいずれであってもよいが、この実施の形態においては、複数のＣＡＴＶ用の通信ケーブルを収束保持した保護管で説明する。
【００２１】
例えば、６本の通信ケーブル（内３本は予備ケーブルとする。）を収束した保護管９を、分岐ます１の地点で２つに分離する。
ハンドホール１１側の保護管９の一端（図２の左側）をスリーブ１０内に、また分離した他方の保護管９の一端（図２の右側）をスリーブ１０内にそれぞれ挿入保持させる。
収束保持された６本のうち、３本の通信ケーブルＣ1 、Ｃ2 及びＣ3 を、それぞれ分配器７，７，７に接続するとともに、該分配器７を介して右側の通信ケーブルＣ1 、Ｃ2 及びＣ3 と接続して幹線ケーブルを一体化させる。
【００２２】
かかる状態において、図３における建造物Ａにケーブルを引き込むには、当該建造物Ａに最も近い分岐ます１の蓋体を開き、必要な通信ケーブル、例えば、ケーブルＣ1 を接続した分配器７を分岐ます１外に適宜の手段によって引き出す。
ついで、分配器７において、通信ケーブルＣ1 と引き込みケーブルＸ1 を接続させるとともに、当該引き込みケーブルＸ1の一端を、引き込み管１２内を挿通させ、建造物Ａに引き出し、幹線ケーブルを分岐させるものである。
【００２３】
なお、この実施の形態においては、保護管９の分岐ます１への接続は、分岐ます主体２に一体的に形成された受け口２ｂにスリーブ１０を接続し、該スリーブ１０にゴム輪を介して保護管９の一端部を進退自在に内挿保持させている。
したがって、保護管９内には、各通信ケーブルを個別に保持する内管１３，１３・・・が収容保持されているので、各内管１３の先端部をベルマウス１４で収束保持させた状態で保護管９内に挿入させてもよい。
また、取付け手段には特段の制限はない。
なお、保護管９は、合成樹脂製の二重波付管、リブ管、直管が好ましい。さらに、内管１３は合成樹脂製の波付管、直管が好ましい。
【００２４】
また、分岐ます１の大きさは、基本的には制限はないものの、設置の容易性や経済性を考慮すると、直径３００〜４００ｍｍ程度の円筒状のものが好ましい。
また、分配器設置台８は、板状体で説明したが、例えば、リング状の保持部材５上に、底辺が立て管３の直径よりも小さな半円状の板体の底辺部に、上方に向けて板状体を一体的に形成し、該板状体を分配器設置台としてもよい。
【００２５】
さらに、分配器は、分岐ますの蓋体を開けて外部に取出す際、複数の分配器から所望の分配器を即座に取出すことができるよう、幹線ケーブルに対応させて分配器を識別することができるよう構成されていることが好ましい。
【００２６】
【発明の効果】
この発明の地中ケーブルの分岐方法は、幹線ケーブルを中継するために比較的距離を存して配置されたハンドホール間に、分岐ますを任意の間隔で配置し、各分岐ます内に設けた分配器を介して幹線ケーブルを分岐ます内に配線し、該分岐ますから分配器を取出して目的とする幹線ケーブルを分配し、目的とする建造物内に分岐配線するため、分岐配線作業を分岐ますの外部で行うことができる。
また、幹線ケーブルからの分岐配線を、最も近い個所に配置された分岐ますから行うため、引き込み線を大幅に短くすることができ、工期の短縮と工費の軽減を達成することができる。
【００２７】
特に、この方法においては、分岐ます内に、幹線ケーブルを配線した分配器を取出し自在に設けているので、分岐配線に際しては、必要な分配器のみを取出して作業することができるので、作業能率を大幅に向上させることができる。
【００２８】
また、この発明の地中ケーブルの分岐ますは、合成樹脂製の分岐ます本体内に分配器を上部開口部から取出し可能に装着し、該分配器を介して分岐ます本体内に配線された幹線ケーブルから必要とするケーブルを取出し、分岐することができる。
また、分岐ます本体を小さくすることによって、幅の狭い歩道にも支障なく設置することができ、ケーブル分岐に伴う工事区間を可及的に短縮させ、工費の軽減化も図ることができる。
【００２９】
特に、この分岐ますは、幹線ケーブルから必要なケーブルのみを分岐させるに際し、幹線ケーブルが接続された分配器を、分岐ます本体外に簡単かつ容易に取出すことができるので、ケーブルの分岐作業を、容易に行うことができる点で多大の効果を奏するものである。
【図面の簡単な説明】
【図１】  この発明に係る分岐ますの概略を示す断面図である。
【図２】  図１の分岐ますの使用状態を示す説明図である。
【図３】  この発明に係る地中ケーブルの分岐方法を示す概念図である。
【図４】  ハンドホールの説明図である。
【符号の説明】
１   分岐ます（分岐ます本体）
２   分岐ます主体
３   立て管
４   蓋体
５   保持部材
６   蓋受け部材
７   分配器
８   分配器設置台
９   幹線ケーブルの保護管
１０ スリーブ
１１ ハンドホール
１２ 引き込み管
【図１】
0004232135.tif 000002
【図２】
0004232135.tif 000003
【図３】
0004232135.tif 000004
【図４】
0004232135.tif 000005